(57)【要約】【課題】  操作性が改善される携帯端末装置を提供する。【解決手段】  携帯型電話機は、アプリケーションプログラム群６４として予め搭載された１種類以上の機能それぞれについて、操作部５の操作内容を用いて、該機能を実行するための実行情報と該機能の実行を指示するためのキーを示すキーデータとを対応付けてテーブルＴＢ１〜ＴＢ４に登録する。１種類以上の機能のいずれかの機能が起動された場合に、制御部１０は起動された該機能に対応して対応のテーブルに予め登録されたキーデータにより示されるキーが操作部５を介して操作されたとき、起動された該機能を該テーブルに対応して予め登録された実行情報を用いて実行する。ユーザは機能をキーデータが示す単純キー操作で実行開始させることが出来、また実行に際しては実行のための情報を与える操作をしなくてもよいから、優れた操作性を得ることができる。【選択図】        図１
2005100191.tif 000002
【特許請求の範囲】
【請求項１】
外部から操作可能な操作手段と、
予め搭載された１種類以上の機能それぞれについて、前記操作手段の操作内容を用いて、該機能を実行するための実行情報と該機能の実行を指示するためのキーを示すキーデータとを対応付けて登録するための登録手段と、
前記１種類以上の機能のいずれかの機能が起動された場合に、起動された該機能に対応して前記登録手段により予め登録された前記キーデータにより示されるキーが前記操作手段を介して操作されたとき、起動された該機能を前記登録手段により対応して予め登録された前記実行情報を用いて実行する実行手段とを備える、携帯端末装置。
【請求項２】
前記１種類以上の機能には電子メール送信機能が含まれて、
前記電子メール機能についての前記実行情報には、宛先データおよびメール本文データが含まれることを特徴とする、請求項１に記載の携帯端末装置。
【請求項３】
前記１種類以上の機能にはブラウザ機能が含まれて、
前記ブラウザ機能についての前記実行情報には、インターネット上のリソースを示すアドレスデータが含まれることを特徴とする、請求項１または２に記載の携帯端末装置。
【請求項４】
カメラ部をさらに備えて、
前記１種類以上の機能には画像添付電子メール送信機能が含まれて、
前記画像添付電子メール機能についての前記実行情報には宛先データが含まれて、
前記実行手段は、
前記画像添付電子メール機能が起動された場合に、起動された該機能に対応して前記登録手段により予め登録された前記キーデータにより示されるキーが前記操作手段を介して操作されたとき、前記カメラ部により撮像して画像データを取得し、実行のために前記実行情報に加えて該画像データを用いることを特徴とする、請求項１から３のいずれか１項に記載の携帯端末装置。
【請求項５】
前記キーデータにより示されるキーは単一キーであることを特徴とする、請求項１から４のいずれか１項に記載の携帯端末装置。
【請求項６】
前記実行手段は、前記キーデータにより示されるキーが前記操作手段を介して操作されたとき、起動された該機能を前記登録手段により対応して予め登録された前記実行情報を用いて実行するに先だって該実行許可の確認を促す確認情報を提示することを特徴とする、請求項１から５のいずれか１項に記載の携帯端末装置。
【請求項７】
前記実行情報には、前記確認情報を提示するか否かを指示する確認要否データが含まれることを特徴とする、請求項６に記載の携帯端末装置。
【発明の詳細な説明】
【技術分野】
【０００１】
本発明は、携帯端末装置に関し、特に、そこに搭載されたアプリケーションの実行機能が改良された携帯端末装置に関する。
【背景技術】
【０００２】
一般に、携帯電話機やＰＨＳ（Personal Handy Phone System）等の携帯端末において何かしようと思うと、たくさんのキー操作を行い、コマンドとして入力する必要がある。操作の不得意な人でも、携帯端末を使って電子メールの配信を簡単に行う方法として、送信側携帯端末に予め、定型文を記憶させておき、送信する際にそれらの定型文のうち一つを選択して、メールの送信を行う方法が特許文献１により提案されていた。
【特許文献１】特開２００３−９９３６８号公報
【発明の開示】
【発明が解決しようとする課題】
【０００３】
ところで、上記従来システムでは、定型文を予め、登録することができるといえども、その文章を使ってメールを送信するには、メールの種類を選択（ロングメールかショートメールか、など）し、宛先を選択し、本文に挿入する定型文を選択し、確認ボタンを押し、送信ボタンを押すといった一連の操作が必要になってしまう。
【０００４】
したがって、文章を予め登録する機能（定型文登録機能）の他に、メールの種類、宛先、定型文の内容、確認の要否等の登録も可能にし、さらには、メール機能以外にも端末に搭載されたアプリケーション及びその実行に必要な情報を予め登録することにより、特に毎回決まった操作を実行するユーザにとって快適な操作を提供することが望まれていた。
【０００５】
それゆえに、この発明の目的は操作性が改善される携帯端末装置を提供することである。
【課題を解決するための手段】
【０００６】
この発明のある局面に従う携帯端末装置は、外部から操作可能な操作手段と、予め搭載された１種類以上の機能それぞれについて、操作手段の操作内容を用いて、該機能を実行するための実行情報と該機能の実行を指示するためのキーを示すキーデータとを対応付けて登録するための登録手段と、１種類以上の機能のいずれかの機能が起動された場合に、起動された該機能に対応して登録手段により予め登録されたキーデータにより示されるキーが操作手段を介して操作されたとき、起動された該機能を登録手段により対応して予め登録された実行情報を用いて実行する実行手段とを備える。
【０００７】
したがって、登録手段により予め機能それぞれについて、実行情報とキーデータとを登録しておくことにより、該機能が起動された場合には該キーデータで示されるキーを操作手段を介して操作するだけで、対応して登録された実行情報を用いて該機能が実行開始されて終了する。それゆえに、ユーザは機能を単純操作で実行開始させることが出来、また実行に際しては実行のための情報を与える操作をしなくてもよいから、優れた操作性を得ることができる。
【０００８】
好ましくは、１種類以上の機能には電子メール送信機能が含まれて、電子メール機能についての実行情報には、宛先データおよびメール本文データが含まれる。
【０００９】
したがって、実行情報として予め宛先データとメール本文データとを登録しておくだけで、電子メール送信機能起動時にはキーデータで示すキーを操作するだけで、該宛先データで示す宛先に該メール本文データによる電子メールを送信することができる。
【００１０】
好ましくは、１種類以上の機能にはブラウザ機能が含まれて、ブラウザ機能についての実行情報には、インターネット上のリソースを示すアドレスデータが含まれる。
【００１１】
したがって、実行情報として予めアドレスデータを登録しておくだけで、ブラウザ機能能起動時にはキーデータで示すキーを操作するだけで、該アドレスデータで示すリソースへのブラウザ接続ができる。
【００１２】
好ましくは、携帯端末装置はカメラ部をさらに備えて、１種類以上の機能には画像添付電子メール送信機能が含まれて、画像添付電子メール機能についての実行情報には宛先データが含まれて、実行手段は、画像添付電子メール機能が起動された場合に、起動された該機能に対応して登録手段により予め登録されたキーデータにより示されるキーが操作手段を介して操作されたとき、カメラ部により撮像して画像データを取得し、実行のために実行情報に加えて該画像データを用いる。
【００１３】
したがって、実行情報として予め宛先データを登録しておくだけで、画像添付電子メール送信機能起動時にはキーデータで示すキーを操作するだけで、該宛先データで示す相手に、そのときカメラ部で撮像した画像データを送信することができる。
【００１４】
好ましくは、キーデータにより示されるキーは単一キーである。したがって、単一キー操作をするだけで実行情報を用いて機能を実行させることができる。
【００１５】
好ましくは、実行手段は、キーデータにより示されるキーが操作手段を介して操作されたとき、起動された該機能を登録手段により対応して予め登録された実行情報を用いて実行するに先だって該実行許可の確認を促す確認情報を提示する。
【００１６】
したがって、機能起動時にキーデータで示すキー操作がされたとしても確認情報が提示されて実行許可の確認がユーザに対して促されるから、誤操作により所望しない機能が実行されるのを回避できる。また、ユーザは起動された機能が実行状態に遷移するのを所望に応じて禁止することもできるから、機能の実行に関して自由度を持たせることができる。
【００１７】
好ましくは実行情報には、確認情報を提示するか否かを指示する確認要否データが含まれる。したがって、機能の実行に先だって確認情報を提示するか否かを操作手段の操作内容により実行情報に含めるようにすることができる。したがって、ユーザは操作手段を操作して確認情報を提示するか否かを任意に設定できる。
【発明を実施するための最良の形態】
【００１８】
以下、本発明の実施の形態を図面を参照して、詳細に説明する。ここでは携帯端末装置として携帯型電話機を示すが、これに限定されずＰＤＡ（Personal Digital Assistants）などの携帯型情報処理機器であってもよい。
【００１９】
本実施の形態では、ユーザに対して、インターネットに接続可能な携帯型電話機に搭載されたアプリケーション、そしてそのアプリケーションの実行に必要な情報を入力するインタフェースを設ける。入力された情報は、携帯端末のメモリに登録され、対応して登録された種類の単純なキー操作がされると該アプリケーションプログラムは実行される。
【００２０】
図１（Ａ）と（Ｂ）は本実施の形態に係る携帯型電話機の概略機能構成図である。
【００２１】
図１（Ａ）において携帯型電話機はアンテナ１、アンテナ１を介して図示しない無線基地局との無線信号の送受信を行う無線部２、無線部２によって送受信される無線信号に含まれる音声信号に所定の信号処理を施す音声処理部３、無線部２によって送受信される無線信号に含まれるテキストデータやＨＴＭＬ（Hyper Text Mark-Up Language）データやプログラム等の各種データに所定の信号処理を施すデータ処理部４、数字や文字等のデータ入力や機能選択等の指示を含む各種情報を入力するために操作されるキーなどの操作部５、データ処理部４によって処理された各種データや操作部５によって入力された情報などを記憶する記憶部６、操作部５によって入力された情報や記憶部６から読み出された情報を表示する表示部７、各部に電力を供給する２次電池等によって構成された電源８、撮像して画像データを出力するカメラ部９、および機器全体の動作を制御するＣＰＵ（Central Processing Unit）などを含む制御部１０を備える。
【００２２】
図１（Ｂ）には記憶部６の内容例が示される。記憶部６には送信先の宛名を示すデータと電話番号または電子メールの宛先を示すアドレスのデータとが対応付けされた複数の組が予め登録される電話帳データ６１、画像データ６２、テーブル群６３およびアプリケーションプログラム群６４が記憶される。電話帳データ６１の登録内容は任意の変更（追加、削除、訂正）が可能であり、変更は例えば操作部５を介した外部からのデータ入力に基づいてなされる。テーブル群６３は、テーブルＴＢ１〜ＴＢ４を含む。画像データ６２は、カメラ部９により撮像して得られた画像データまたは通信によりアンテナ１を介して受信した画像データなどである。アプリケーションプログラム群６４は、携帯型電話機において制御部１０の制御の元に読出されて実行される各種のアプリケーションプログラムが登録されている。アプリケーションプログラム群６４にはメール送受信に関する機能、ブラウザ機能など該携帯型電話機で起動（実行）可能な各種機能のプログラムが含まれている。
【００２３】
ここで、テーブルＴＢ１〜ＴＢ４の内容例について説明する。図２（Ａ）にはテーブルＴＢ１が示される。テーブルＴＢ１は該携帯型電話機で送信される電子メールのそれぞれに対応したレコードを有する。各レコードは対応の電子メールの種類（ショートまたはロング）を示すデータＭＡ、対応の電子メールの宛先を示すデータＭＢ、対応の電子メールの本文の内容を示すデータＭＣ、対応の電子メールの送信可否をユーザに確認する必要があるか否かを示すデータＭＤおよび対応の電子メールの送信を指示するために操作されるキーであって予め登録されるキーの種類を示すデータＭＥを含む。
【００２４】
図２（Ｂ）にはテーブルＴＢ２が示される。テーブルＴＢ２には携帯型電話機からインターネットのリソースにアクセスするためのＵＲＬ（Uniform Resource Locator）のそれぞれに対応したレコードを有する。各レコードは対応のＵＲＬを示すデータＵＡ、対応のＵＲＬによるインターネットアクセスの可否をユーザに確認する必要があるか否かを示すデータＵＢ、および対応のＵＲＬに基づくリソースへのアクセスを指示するために操作されるキーであって予め登録されるキーの種類を示すデータＵＣを含む。
【００２５】
図２（Ｃ）にはテーブルＴＢ３が示される。テーブルＴＢ３は画像データを添付して送信する電子メールのそれぞれに対応したレコードを有する。各レコードは、対応の電子メールの宛先を示すデータＰＡ、対応の電子メールの本文の内容を示すデータＰＢ、対応の電子メールの送信可否をユーザに確認する必要があるか否かを示すデータＰＣおよび対応の電子メールの送信を指示するために操作されるキーであって予め登録されるキーの種類を示すデータＰＤを含む。
【００２６】
図２（Ｄ）にはテーブルＴＢ４が示される。テーブルＴＢ４はアプリケーションプログラム群６４のうちユーザが実行時の情報入力を簡単化（省略）することを所望するプログラムのそれぞれに対応したレコードを有する。各レコードは、対応のアプリケーションプログラムを一意に指示するための例えばプログラム名などのデータＡＡ、対応のアプリケーションプログラムの実行時に実行を制御するために参照される情報やデータを示すデータＡＢ、対応のアプリケーションプログラムの実行をユーザに確認する必要があるか否かを示すデータＡＣおよび対応のアプリケーションプログラムの実行開始を指示するために操作されるキーであって予め登録されるキーの種類を示すデータＡＤを含む。
【００２７】
これらテーブルのデータＭＥ、データＵＣ、データＰＤおよびデータＡＤはより少ないキー組合わせまたは単一キーを示す。
【００２８】
上記のように構成された携帯型電話機でユーザによる各種機能を登録する手順について図３のフローチャートに従い説明する。
【００２９】
ユーザから、携帯型電話機に搭載されたアプリケーションそしてそのアプリケーションの実行に必要な情報を入力し対応キーに登録したいという要求を操作部５の操作を介して受けると、制御部１０はこの制御フローを実行開始するとともに、表示部７にアプリケーション選択画面（図示せず）を表示する。ユーザは選択画面を見ながら操作部５を操作して所望のアプリケーションを選択指示する。制御部５はこの指示を入力すると、該指示内容に基づき選択のアプリケーションはメール機能か（ステップＳ（以下、単にＳと略す）１１）、ブラウザ機能か（Ｓ１３）、画像添付メール機能か（Ｓ１５）、それ以外か（Ｓ１７）を順に判定して、判定結果によって、メール機能処理（Ｓ１２）、ブラウザ機能処理（Ｓ１４）、画像添付メール機能登録処理（Ｓ１６）およびその他の機能登録処理（Ｓ１７）のいずれかに移行する。次に、これら処理について説明する。
【００３０】
メール機能登録処理
図３のフローチャートにて、メール機能登録処理に移行した場合に、図４（Ａ）のフローチャートが開始される。まず、制御部１０はメールの種類（データＭＡに対応する）を選択させる画面を表示部７に表示する（Ｓ２１）。ここでは、ロングメールかショートメールかなど、作成する電子メールの種類を選択させる。次にメールの宛先（データＭＢに対応する）の入力を促す（Ｓ２２）。ユーザは操作部５を操作して宛先（アドレス）を電話帳データ６１から選択して入力したり、直接入力したりする。その後、メールの本文（データＭＣに対応する）を入力するように促す（Ｓ２３）。ユーザは操作部５を操作して記憶部６に予め登録されている定型文（図示せず）を選択して入力したり、直接入力したりなどする。制御部１０は次にユーザに対して確認ボタンをつけるか否かの選択（データＭＤに対応する）をさせる（Ｓ２４）。つまり、該宛先（アドレス）に該本文内容の電子メールを送信するときは表示部７に確認ボタンを表示するか否かの選択を促す。確認ボタンは、ユーザに対して送信可否（許可の有無）の確認を取るために表示されてユーザにより操作される。ユーザが必要と指示すれば確認ボタン（データＭＤを‘要’と設定）を付加する（Ｓ２５）。制御部１０は、最後に登録する対応キーをどれにするか選択を促すので、ユーザが該電子メールの送信を指示するときに操作する操作部５のキー（データＭＥに対応する）を入力すると、これらユーザによる入力情報を格納したレコードがテーブルＴＢ１に追加登録される（Ｓ２６）。
【００３１】
上記設定実施後は登録した対応キーの押下により、直接、設定されたメール宛先に設定されたメール本文を送信することができる。この動作を図４（Ｂ）のフローチャートを参照して説明する。
【００３２】
メール送信処理が起動されると制御部１０は操作部５を介して何らかのキーが押下されたか否かを判定する（ステップＴ（以下、単にＴと略す）２１）。何らかのキーが押下された場合には、制御部１０は押下されたキーの種類がテーブルＴＢ１のデータＭＥのいずれかと一致するか否かを判定する（Ｔ２２）。一致しない場合には押下されたキーに対応の処理へ移行する。
【００３３】
一方、一致すると判定された場合は、テーブルＴＢ１の一致すると判定されたデータＭＥのレコードのデータＭＤが確認‘要’を示すか否かを判定する（Ｔ２３）。確認要を示していなければ、後述するメール送信処理（Ｔ２６）に移行する。
【００３４】
一方、データＭＤが‘要’を示している場合には（Ｔ２３でＹＥＳ）、一致すると判定されたデータＭＥのレコードのデータＭＢまたはデータＭＣを読出して表示部７に表示するとともに確認ボタンを表示する（Ｔ２４）。表示内容を確認したユーザが送信することを希望して操作部５を介して確認ボタンを押下したか否かを判定する（Ｓ２５）。押されない場合にはＴ２１の処理に戻るが、押されたならば、制御部１０は、一致すると判定されたデータＭＥのレコードのデータＭＤで示される送信先に、対応のデータＭＣで示される電子メールを、対応のデータＭＡで示される種類に従い無線部２およびアンテナ１などを介して送信する（Ｔ２６）。
【００３５】
以上の手順を用いれば、ある特定の宛先へのある特定の内容のメール送信を、予めデータＭＥとして登録されたキーの押下のみで直接実行できる。また電子メール送信機能が起動されてデータＭＥで示される種類のキーが操作された場合にはメール送信（機能）を実行するに先だって該実行許可の確認を促す情報である確認ボタンが提示されるから、誤ったキー操作によりメールの誤送信を防止できる。
【００３６】
ブラウザ機能登録処理
図３のフローチャートにて、ブラウザ機能登録処理（Ｓ１４）に移行した場合に図５（Ａ）のフローチャートが開始される。
【００３７】
まず、制御部１０はＵＲＬの入力を促す画面を表示部７に表示するのでユーザは所望のＵＲＬ（データＵＡに対応する）を操作部５を介して入力する（Ｓ３１）。次に確認ボタンをつけるか否か（データＵＢに対応する）の選択を促す画面を表示するのでユーザは要否の別を入力する（Ｓ３２）。必要と入力されるとデータＵＢには‘要’が設定される（Ｓ３３）。最後に登録する対応キー（データＵＣに対応する）をどれにするかの選択を促す画面が表示されるので、ユーザが操作部５のキーを入力すると、入力した一連の情報を格納したレコードをテーブルＴＢ２に追加登録する（Ｓ３４）。上記設定実施後は登録した対応キーの押下により、直接、設定されたＵＲＬにブラウザ接続することができる。このような動作を図５（Ｂ）のフローチャートを参照し説明する。
【００３８】
ＵＲＬアクセス処理（携帯型電話機に予め搭載されているブラウザ機能）が起動されると制御部１０は操作部５を介して何らかのキーが押下されるか否かを判定する（Ｔ３１）。何らかのキーが押下されたと判定すると、押下されたキーはテーブルＴＢ２に登録のデータＵＣで示されるキーのいずれかに一致するか否かを判定する（Ｔ３２）。いずれにも一致せず、登録キーとして特定できなければ、押下されたキーの種類に対応の処理へ移行する。
【００３９】
いずれかに一致して登録キーとして特定できたならば（Ｔ３２でＹＥＳ）、一致したデータＵＣのレコードのデータＵＢが“要”を示すか否か判定する（Ｔ３３）。“要”を示さず、“否”を示していれば、後述するＴ３６の処理に移行するが、“要”を示しているときには、該レコードのデータＵＡで示されるＵＲＬを読出し確認ボタンとともに表示部７に表示する（Ｔ３４）。表示内容を見たユーザが、該ＵＲＬによるインターネット接続を希望した場合には、操作部５を介して確認ボタンを押下の操作をするので（Ｔ３５でＹＥＳ）、制御部１０は、該レコードのデータＵＡで示されるＵＲＬに基づいて無線部２およびアンテナ１を介して通信し、この結果により受信した情報が、ブラウザ機能を介して表示部７に表示される（Ｔ３６）。一方、確認ボタンの押下操作されなければ（Ｔ３５でＮＯ）、再度Ｔ３１の処理に戻る。
【００４０】
以上の手順を用いれば、ある特定のＵＲＬへのブラウザ接続が、予め登録された対応キーの押下のみで直接実行できる。
【００４１】
画像添付メール機能登録処理
図３のフローチャートにて、画像添付メール機能登録処理（Ｓ１６）に移行した場合に、図６（Ａ）のフローチャートが開始される。まず、制御部１０はメールの宛先の入力を促すので宛先（データＰＡに対応）が入力される（Ｓ４１）。ユーザは宛先を電話帳データ６１から選択して入力したり、直接入力したりする。その後、制御部１０はメールの本文を入力するように促すのでユーザは操作部５を操作してメール本文（データＰＢ）を入力する（Ｓ４２）。メール本文は予め記憶部６に登録されている定型文（図示せず）を選択して入力したり、直接入力したりなどする。次に、制御部１０は確認ボタンをつけるか否かの選択を促すのでユーザは要否の別（データＰＣに対応する）を入力する（Ｓ４３）。必要なら‘要’と設定する（Ｓ４４）。最後に登録する対応キーをどれにするかの選択を促すので、ユーザが操作部５を操作して対応のキー（データＰＤに対応する）を操作すると、上記の一連の情報を格納したレコードがテーブルＴＢ３に追加登録される（Ｓ４５）。上記設定を実施後は登録した対応キーの押下により、携帯型電話機に予め搭載されたカメラ機能が起動し、操作部５のシャッターボタン押下後、その撮影画像データが、直接、上記設定したメール宛先に、メール本文に添付されて送信される。このような動作を図６（Ｂ）のフローチャートを参照し説明する。
【００４２】
制御部１０は画像添付メールの送信処理モードに移行すると、操作部５を介してユーザにより何らかのキー操作がなされたか否かを判定する（Ｔ４１）。何らかのキー操作がなされると、押下キーはテーブルＴＢ３に登録されているデータＰＤのいずれかで示されるキーと一致するか判定する（Ｔ４２）。一致しなければ、押下キーに対応の処理へ移行する。
【００４３】
一方、データＰＤとして登録されているキーと一致していた場合には（Ｔ４２でＹＥＳ）、一致したデータＰＤのレコードのデータＰＣが“要”を示すか否か判定する（Ｔ４３）。“否”を示している場合には後述するＴ４６の処理に移行する。
【００４４】
一方、データＰＣが“要”を示している場合には、該レコードのデータＰＡまたはデータＰＢをテーブルＴＢ３から読出して表示部７に確認ボタンとともに表示する（Ｔ４４）。ユーザが、表示内容を確認して画像添付メールの送信を希望した場合には、操作部５を介して確認ボタンを操作して確認ＯＫを指示するので、この操作がなされたか否かを判定する（Ｔ４５）。この操作がなされなければ（Ｔ４５でＮＯ）、Ｔ４１の処理に戻るが、操作がされれば（Ｔ４５でＹＥＳ）、制御部１０は、カメラ部９を用いたカメラ撮影機能を起動させる（Ｔ４６）。カメラ撮影機能が起動されてユーザが操作部５を介してシャッターボタンＯＮの操作をするか否か判定する（Ｔ４７）。シャッターボタンがＯＮ操作されれば（Ｔ４７でＹＥＳ）、制御部１０は、カメラ部９を介してシャッター操作により取込まれた被写体の画像データを記憶部６の画像データ６２として記憶するとともに、テーブルＴＢの該レコードのデータＰＢの電子メール本文に該画像データを添付して、該レコードのデータＰＡで示される宛先に無線部２およびアンテナ１を介して送信する（Ｔ４８）。
【００４５】
上述の手順を用いれば、ある特定の宛先へある特定の内容のメールに撮った画像をすぐさま添付し送信することができる。
【００４６】
なお、ここでは、メールに添付する画像データはカメラ撮影機能が起動されて撮影されて得られると記憶部６に画像データ６２として一旦記憶するとしているが、記憶を省略してもよい。また、添付する画像データは予め記憶部６に記憶されていたカメラ部９による撮影画像データまたはアンテナ１および無線部２を介して外部から受信した画像データであってもよく、また操作部５を介した画像データの作成機能を搭載している場合には作成された画像データであってもよい。
【００４７】
その他の機能登録処理
図３のフローチャートにて、その他の機能登録処理（Ｓ１７）に移行した場合には図７（Ａ）のフローチャートが開始される。
【００４８】
まず、制御部１０は表示部５のアプリケーション名の一覧などを表示しながらユーザに対して登録したいアプリケーションの選択を促すので、ユーザは所望のアプリケーション（データＡＡに対応する）を選択入力する（Ｓ５１）。続いて、制御部１０は選択されたアプリケーションのプログラムの実行を制御するために外部から入力を必要とする情報（データ）の入力を、例えば表示部５に入力例を表示しながら促すので、ユーザは情報（データＡＢに対応する）を入力する（Ｓ５２）。次に確認ボタンをつけるか否かの選択を促すのでユーザは確認ボタンの要否（データＡＣに対応する）を入力する（Ｓ５３）。ユーザが、必要とすれば‘要’が設定される（Ｓ５４）。最後に制御部１０は登録する対応キーをどれにするかの選択を促すのでユーザは所望のキー（データＡＤに対応する）を操作部５を介して入力すると、これらの情報を格納したレコードがテーブルＴＢ４に追加登録される。（Ｓ５５）。上記設定を実施後は登録した対応キーの押下により、設定したアプリケーションが起動し、上記設定した情報に基づいた動作を実行する。このような動作を図７（Ｂ）のフローチャートを参照し説明する。
【００４９】
制御部１０の登録機能起動処理モードに移行した場合には、制御部１０はユーザが操作部５の何らかのキー押下をするか否かを判定する（Ｔ５１）。何らかのキーが押下されれば、押下されたキーはテーブルＴＢ４に登録されているデータＡＤのいずれかで示されるキーと一致するかを判定する（Ｔ５２）。一致するデータＡＤが登録されていなければ、押下キーに対応の処理へ移行するが、登録されていれば（Ｔ５２でＹＥＳ）、テーブルＴＢ４の一致したデータＡＤのレコードのデータＡＣが確認‘要’を示すか否かを判定する（Ｔ５３）。判定結果、“要”を示していない場合には後述するＴ５６の処理に移行するが、“要”を示している場合には（Ｔ５３でＹＥＳ）、該レコードのデータＡＡで示されアプリケーションを指示するデータ（名称など）を読出して確認ボタンとともに表示部７に表示する（Ｔ５４）。ユーザが表示内容を確認して該アプリケーションの起動を希望した場合には、操作部５を介して確認ボタンを操作し確認ＯＫを指示する。確認ＯＫの指示がされなければＴ５１の処理に戻る。
【００５０】
確認ＯＫの指示がなされると（Ｔ５５でＹＥＳ）、制御部１０は、テーブルＴＢ４の一致するデータＡＤのレコードのデータＡＡに基づいて記憶部６のアプリケーションプログラム群６４を検索し、検索されたアプリケーションプログラムを起動させる（Ｔ５６）。起動したアプリケーションプログラムは制御部１０の制御の下に実行されて、実行は該レコードのデータＡＢを参照しながら制御される（Ｔ５７）。
【００５１】
上述の手順によれば、ユーザが携帯型電話機に搭載されているアプリケーションプログラムの実行制御に必要な情報を予め登録しておけば、短時間でアプリケーションを実行することができるから、特に繰り返しよく利用する場面で快適なユーザ操作となる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５３】
【図１】（Ａ）と（Ｂ）は実施の形態に係る携帯型電話機の機能構成図である。
【図２】（Ａ）〜（Ｄ）は図１のテーブルの内容例を示す図である。
【図３】実施の形態に係るユーザ操作登録の処理を示すフローチャートである。
【図４】（Ａ）と（Ｂ）実施の形態に係るメール機能の操作登録と実行の処理フローチャートである。
【図５】（Ａ）と（Ｂ）実施の形態に係るブラウザ機能の操作登録と実行の処理フローチャートである。
【図６】（Ａ）と（Ｂ）実施の形態に係る画像添付メール機能の操作登録と実行の処理フローチャートである。
【図７】（Ａ）と（Ｂ）実施の形態に係るその他の機能の操作登録と実行の処理フローチャートである。
【符号の説明】
【００５４】
１  アンテナ、２  無線部、３  音声処理部、４  データ処理部、５  操作部、６  記憶部、７  表示部、８  電源、９  カメラ部、１０  制御部、ＴＢ１〜ＴＢ４  テーブル。
【図１】
2005100191.tif 000003
【図２】
2005100191.tif 000004
【図３】
2005100191.tif 000005
【図４】
2005100191.tif 000006
【図５】
2005100191.tif 000007
【図６】
2005100191.tif 000008
【図７】
2005100191.tif 000009